(57)【特許請求の範囲】
【請求項１】
一方のコネクタハウジングがロックアームとロック解除突起とを一体に有し、他方のコネクタハウジングが、該ロックアームのロック突起に係合するロック突起を有し、該一方のコネクタハウジングにスライダが弾性部材の前方付勢のもとで前後方向移動自在に装着され、該スライダが、後退時に該ロック解除突起を摺接させつつ該ロックアームをロック解除方向に撓ませるガイド傾斜部を有し、該スライダに、該他方のコネクタハウジングの一対の左右並列な押圧突起の後側の当接面に当接する一対の可撓性の当接アームの当接突起が前後に位相ずれして設けられ、スライダ最後退時で且つコネクタ完全嵌合直前に一対の該当接突起を乗り上げさせて該一対の押圧突起の後側の当接面との当接を解除させる一対のスライダ解除突起が前後に位相ずれして該一方のコネクタハウジングに設けられ、コネクタ嵌合途中に前側の一方の該当接突起が該弾性部材の付勢力で一方の該押圧突起の後側の当接面に当接し、コネクタ離脱時のスライダ後退途中に該一方の当接突起が前方より該一方の押圧突起に乗り上げ、後側の他方の該当接突起が該他方の押圧突起を乗り越し、スライダ後退操作終了時に該弾性部材の付勢力で他方の該押圧突起の後側の当接面に当接することを特徴とするロック式コネクタ。
【発明の詳細な説明】
【０００１】
【発明の属する技術分野】
本発明は、一方のコネクタ内に弾性付勢されたスライダの作用で他方のコネクタとの半嵌合を検知し、且つ両コネクタのロック解除を容易に行わせることのできるロック式コネクタに関するものである。
【０００２】
【従来の技術】
図１２〜図１３は、特開平１０−２８９７５６号公報に記載された従来のロック式コネクタを示すものである。
【０００３】
図１２で、５１は雄側のコネクタ、５２は雌側のコネクタを示す。雄側のコネクタ５１は合成樹脂製のコネクタハウジング５３内に雌型の端子５４を有し、雌側のコネクタ５２は合成樹脂製のコネクタハウジング５５内に雄型の端子５６を有している。雄側のコネクタハウジング５３は外側に合成樹脂製のフード部５７を一体に有している。雌側のコネクタ５２は、雄側のコネクタハウジング５３を嵌合させるコネクタ嵌合室５８を有し、コネクタ嵌合室５８内に雄型の端子５６の接触用のタブ部５６ａを突出させている。本明細書では、雌型の端子５４を有する方を雄型のコネクタ５１、雄型の端子５６を有する方を雌側のコネクタ５２と定義している。
【０００４】
雄側のコネクタハウジング５３のフード部５７内にコネクタ半嵌合検知用の合成樹脂製のスライダ５９が前後方向（コネクタ嵌合離脱方向）にスライド自在に設けられている。スライダ５９は雄側のコネクタハウジング５３の上部に位置し、フード部５７内の圧縮コイルばね６０で前方に付勢されている。スライダ５９は後端側に操作突部６１と下向きの停止突起６２を有し、中間部に水平方向の可撓性の当接アーム６３を有し、前端側に水平方向の当接壁６５を有している。当接アーム６３は前端側に下向きの当接突起６４を有し、当接突起６４は後側に摺接用の傾斜面を有している。当接アーム６３は上下方向に撓み可能である。
【０００５】
フード部５７の長手方向中間部に、スライダ５９の停止突起６２を当接させる停止兼案内用のガイド突起６６が上向きに設けられ、ガイド突起６６の前方に可撓性のロックアーム６７が延設され、ロックアーム６７の先端に、雌側のコネクタ５２の上向きのロック突起６９を係合させる下向きのロック突起６８が設けられると共に、ロック突起６８の上側に撓み防止用の当接突起７０が設けられている。水平な当接壁６５の下面に当接突起７０が当接して、ロックアーム６７の上方向への撓みが阻止されている。
【０００６】
雌側のコネクタ５２には、前記ロック突起６９がコネクタ嵌合室５８の上壁の後寄りに設けられると共に、ロック突起６９の前方に、スライダ５９の当接突起６４に対する上向きの当接突起７１が設けられている。各ロック突起６８，６９は各コネクタ５１，５２の幅方向中央に設けられ、各当接突起６４，７１は各コネクタ５１，５２の幅方向両側に設けられている。
【０００７】
図１２の状態から両コネクタ５１，５２を初期嵌合させると、両当接突起６４，７１が当接し、さらに両コネクタ５１，５２を嵌合方向に押圧することで、スライダ５９が押されて後退してコイルばね６０を圧縮させる。スライダ５９の当接壁６５はロックアーム６７の上向きの当接突起７０から後方へ離間する。そして、当接突起６４の傾斜面がガイド突起６６の傾斜面に摺接することで、スライダ５９の当接アーム６３が上向きに撓み、それにより両当接突起６４，７１の突き当てが解除される。そして、両コネクタ５１，５２のロック突起６８，６９が当接してロックアーム６７が上向きに撓み、さらに両コネクタ５１，５２を嵌合方向に押圧することで、ロック突起６８がロック突起６９を乗り越えて復元し、図１３の如く両コネクタ５１，５２の完全嵌合と同時に両ロック突起６８，６９が係合して、両コネクタ５１，５２がロックされる。その状態で両コネクタ５１，５２の端子５４，５６は相互に接続される。
【０００８】
コネクタ５１，５２の嵌合途中においては、スライダ５９がコイルばねで６０コネクタ離脱方向に押圧され、且つ両当接突起６４，７１が突き当たった状態となっているから、コネクタ５１，５２が半嵌合（不完全嵌合）である場合には、雌側のコネクタ５２がコイルばね６０の力で雄側のコネクタ５１から押し出される。これにより、コネクタ５１，５２の半嵌合が検知される。作業者が再度コネクタ５２を押し込むことで、両コネクタ５１，５２が完全嵌合される。
【０００９】
【発明が解決しようとする課題】
しかしながら、上記従来のロック式コネクタにあっては、ロック解除に際して作業者がスライダ５９をコイルばね６０に抗して目一杯後退させ、その状態でロックアーム６７を治具等で上向きに撓ませて両ロック突起６８，６９の係合を解除させつつ、両コネクタ５１，５２を離脱方向に引っ張るという面倒な操作が必要であり、メンテナンス時等におけるコネクタ離脱操作が大変面倒であった。
【００１１】
本発明は、上記した点に鑑み、コネクタ半嵌合検知を良好に行うことができるのは勿論のこと、雄・雌コネクタ相互の離脱作業をスムーズ且つ容易に且つ確実に行うことができるロック式コネクタを提供することを目的とする。
【００１２】
【課題を解決するための手段】
上記目的を達成するために、本発明の請求項１記載のロック式コネクタは、一方のコネクタハウジングがロックアームとロック解除突起とを一体に有し、他方のコネクタハウジングが、該ロックアームのロック突起に係合するロック突起を有し、該一方のコネクタハウジングにスライダが弾性部材の前方付勢のもとで前後方向移動自在に装着され、該スライダが、後退時に該ロック解除突起を摺接させつつ該ロックアームをロック解除方向に撓ませるガイド傾斜部を有し、該スライダに、該他方のコネクタハウジングの一対の左右並列な押圧突起の後側の当接面に当接する一対の可撓性の当接アームの当接突起が前後に位相ずれして設けられ、スライダ最後退時で且つコネクタ完全嵌合直前に一対の該当接突起を乗り上げさせて該一対の押圧突起の後側の当接面との当接を解除させる一対のスライダ解除突起が前後に位相ずれして該一方のコネクタハウジングに設けられ、コネクタ嵌合途中に前側の一方の該当接突起が該弾性部材の付勢力で一方の該押圧突起の後側の当接面に当接し、コネクタ離脱時のスライダ後退途中に該一方の当接突起が前方より該一方の押圧突起に乗り上げ、後側の他方の該当接突起が該他方の押圧突起を乗り越し、スライダ後退操作終了時に該弾性部材の付勢力で他方の該押圧突起の後側の当接面に当接することを特徴とする。
上記構成により、コネクタ嵌合途中にスライダの一方の当接アームが弾性部材の復元力でもって他方のコネクタハウジングの一方の押圧突起に当接し、コネクタ半嵌合時に他方のコネクタハウジングを一方のコネクタハウジングから離脱方向に押し出す。これにより、コネクタ半嵌合が検知される。さらにコネクタ嵌合を進めると、両当接アームは一方のコネクタハウジングのスライダ解除突起に乗り上げ、それによりロック突起との係合が解除され、コネクタの完全嵌合と同時にスライダが弾性部材の付勢力で前方に復元する。なお、「コネクタ」とはコネクタハウジングに端子を含むものを言う。
また、コネクタを離脱させる際に、スライダを後退操作し、スライダの後退途中で他方の当接アームが弾性部材の復元力でもって他方のコネクタハウジングの他方の押圧突起に当接し、他方のコネクタハウジングを離脱方向に付勢する。これにより、コネクタ離脱操作力が低減される。スライダの後退ストロークも少なくて済む。
【００１３】
また、コネクタ嵌合途中において他方のコネクタハウジングの一方の押圧突起がスライダの一方の当接アームの当接突起をコネクタ嵌合方向に押圧し、スライダの各当接アームの当接突起が一方のコネクタハウジングのスライダ解除突起に乗り上げて、一方の押圧突起と一方の当接突起との係合が解除され、且つ両当接突起が両押圧突起の上を通過しつつ、スライダが弾性部材の付勢により前方に復元し、両コネクタが嵌合する。
また、コネクタの離脱に際し、スライダを後退させることで、他方の当接アームの当接突起が他方の押圧突起を乗り越え、一方の当接アームの当接突起が一方の押圧突起に乗り上げると同時に、他方の当接アームの当接突起が他方の押圧突起に当接し、弾性部材の復元力で他方のコネクタハウジングが離脱方向に付勢される。
【００１５】
また、コネクタ嵌合途中で他方のコネクタハウジングの一方の押圧突起がスライダの一方の当接アームを押圧して、スライダが後退しつつ、一方のコネクタハウジングのロック解除突起がスライダのガイド傾斜部に乗り上げて、ロックアームが上向きに撓み、ロックアームが他方のコネクタハウジングのロック突起に当接することなくロック突起を乗り越え、スライダの両当接アームが一方のコネクタハウジングのスライダ解除突起に乗り上げることで、当接アームと押圧突起との当接が解除され、スライダが弾性部材の付勢で前方に復元しつつ、両コネクタが完全嵌合し、ロックアームが下向きに復元してロック突起に係合し、両コネクタがロックされる。
また、コネクタ離脱時にスライダを後退させることで、スライダのガイド傾斜部で一方のコネクタハウジングのロック解除突起がすくい上げられ、ロックアームが上向きに撓み、ロックが解除される。これと同時に、スライダの他方の当接アームが他方のコネクタハウジングの他方の押圧突起を弾性部材の復元力でもってコネクタ離脱方向に押圧するから、コネクタの離脱力が低減され、コネクタの離脱が低力で容易に行われる。
【００１７】
【発明の実施の形態】
以下に本発明の実施の形態を図面を用いて詳細に説明する。
図１は、本発明に係るロック式コネクタの一実施形態を示すものである。
【００１８】
このロック式コネクタは、雄側のコネクタ（符号１で代用する）と、雄側のコネクタにコイルばね（弾性部材）２を介してコネクタ嵌合離脱方向スライド自在に装着されるスライダ３と、雌側のコネクタ（符号４で代用する）とで構成され、特に、スライダ３に、雌側のコネクタハウジング４の左右一対の並列な押圧突起（押圧部）５，５′に対する可撓性の一対の当接アーム７，８（図４）がコネクタ嵌合方向（前後方向）に少し位相ずれして設けられ、雄側のコネクタハウジング１に、一対の当接アーム７，８に対する一対の解除突起９（図４で解除突起の一方のみ図示する）が設けられ、コネクタ嵌合時に一方の押圧突起５が一方の当接アーム７に当接してスライダ３を後退させ、コネクタ離脱時に他方の押圧突起５′に他方の当接アーム８が当接して、コイルばね２の付勢力で雌側のコネクタ（４）を離脱方向に押圧付勢することを特徴とするものである。
【００１９】
図では各コネクタハウジング１，４内の各端子は図示を省略しているが、端子と合成樹脂製のコネクタハウジング１，４とでコネクタ（１，４）が構成されることは言うまでもない。端子については従来の技術（図１２）における構成とほぼ同様であるので説明を省略する。
【００２０】
図１においては、スライダ３の当接アーム７，８は左右独立して並列に設けられ、一方の当接アーム７の先端の当接突起（当接部）７ａ（図４）は前方に位置し、他方の当接アーム８の先端の当接突起（当接部）８ａ（図４）は少し後方に位置している。雌側のコネクタハウジング４の一対の押圧突起５，５′は前端の垂直な押圧面５ａ（図１）と後端の傾斜状の摺接面５ｂとを有し、各押圧面５ａは前後に位相ずれなく垂直な同一平面上に位置している。
【００２１】
図３の他の実施形態を用いて、スライダ３′の当接アーム７，８と雄側のコネクタハウジング１′のスライダ解除突起９との一形態を詳細に説明する。便宜上、図１，図４と同一の符号を用いて説明する。
【００２２】
図３において、合成樹脂製のスライダ３′は前側部と中間部と後側部とで成り、中間部に一対の当接アーム７，８が配設されている。本形態で一方の当接アーム７は矩形枠状に形成され、先端下側の右端に当接突起（当接部）７ａを有している。枠状部７ｄによって当接アーム７の剛性すなわち曲げ強さが高められている。他方の当接アーム８は枠状部７ｄの左側に隣接して位置し、先端下側に当接突起（当接部）８ａを有している。各当接アーム７，８の基部はスライダ後側部の前壁１７に続き、他方の当接突起８ａは一方の当接突起７ａよりもやや後方に位置している。各当接突起７ａ，８ａは前端の垂直な当接面７ｂ，８ｂと、後端の傾斜状の摺接面７ｃ，８ｃとを有している。両当接アーム７，８は図で上方向に撓み可能である。図２の形態とは当接アーム７，８の位置が左右相違している。
【００２３】
図３で、雄側のコネクタハウジング１′のスライダ収容部１８の下壁である水平な中間壁１９に、一方の当接突起７に対する解除突起（解除部）９と、他方の当接突起８に対する解除突起（解除部）（図示せず）とが設けられている。両解除突起９は各当接突起７ａ，８ａの位置に対応して前後に位相ずれして配置され、それぞれ前側の傾斜状の摺接面９ａと後側の垂直な停止面９ｂを有している。解除突起９はコネクタハウジング１′の長手方向ほぼ中間に位置し、中間壁１９はコネクタハウジング１′の後半に位置している。解除突起９の前方で中間壁１９の前端から可撓性のロックアーム２０が水平に突設されている。
【００２４】
ロックアーム２０は先端側に、相手雌側のコネクタハウジング４（図１）の上向きのロック突起（ロック部）６（図１）に対する下向きのロック突起（ロック部）１０と、両側の水平なロック解除突起（ロック解除部）１３と、上向きの湾曲状の摺接突起（摺接部）２１とをそれぞれ有している。雄側のコネクタハウジング１′はスライダ収容部１８を有する外側のフード部２２と、内側の端子収容部であるハウジング本体部２３とで構成されている。ハウジング本体部の前部にはフロントホルダ（図示せず）が装着される。
【００２５】
図３で、スライダ３′の前側部に、上記ロック解除突起１３に対する左右一対の前上がりに傾斜したロック解除用のガイド傾斜部１２が形成され（右側のみ図示する）、ガイド傾斜部１２は水平な支持部２４に続き、支持部２４は前端壁２５の一部を構成し、前端壁２５と当接アーム７との間には空間２６が設けられている。
【００２６】
スライダ３′の前側部（一部を切欠して鎖線で示している部分）は左右対称に形成されている。ガイド傾斜部１２の側方には、雌側のコネクタハウジング４（図１）の押圧突起５，５′に対する挿通溝２７が形成されている。スライダ３の左右の外側壁２８には、雄側のコネクタハウジング１′からの前抜け防止用の停止突起２９が設けられ、後側部には引張（後退）操作用の突起３０が上向きに設けられている。
【００２７】
図１の実施形態も基本的には図３と同様である。図１において、スライダ３の中間部の各当接アーム７，８は枠状ではなくほぼ真直に形成されている。各当接アーム７，８の前端に対向して幅広の溝状の空間３１が位置し、空間３１内に雌側のコネクタハウジング４の押圧突起５，５′が進入可能である。空間３１の上側には水平なロック補助壁（ロック補助部）１４が位置し、ロック補助壁１４でスライダ３の両側の壁部２８が連結されている。空間３１はスライダ前側部の空間２６に連通し、前側の空間２６内の中央寄りに左右一対の前上がりのテーパ状のガイド傾斜部１２が位置し、ガイド傾斜部１２は水平な支持部２４を経て前端壁２５に直交している。スライダ後側部には上側の操作用の突起３０と下側の停止突起３２（図４）と両側のばね受けボス３３とが設けられている。
【００２８】
雄側のコネクタハウジング１はフード部２２の上部にスライダ収容部１８をコネクタ嵌合離脱方向（前後方向）に貫通して有し、ハウジング本体部に複数の端子収容室３４を有している。コイルばね２はスライダ収容部１８の両側のガイド溝３５に収容され、図２の如くスライダ３をコネクタ嵌合方向（前方）に付勢する。その状態で停止突起３２（図４）とスライダ解除突起９（図１）との当接でスライダ３の前端位置が規定される。
【００２９】
図１でスライダ収容部１８内に左右一対のロック解除突起１３が位置し、ロック解除突起１３はやや下側のロックアーム２０に続き、ロックアーム２０の先端下側にロック突起１０が位置している。ロックアーム２０の後方に左右一対のスライダ解除突起９（一方のみ図示する）が位置している。スライダ３の各当接アーム７，８の下向きの当接突起７ａ，８ａは各スライダ解除突起９の傾斜状の摺接面９ａ（図４）に摺接可能で、ロック突起１０は雌側のコネクタハウジング４のロック突起６（図１）に係合可能である。ロック突起１０は雌側のコネクタハウジング４のコネクタ嵌合室３６の上壁（壁部）３７において左右一対の押圧突起５，５′の間で押圧突起５，５′よりも後方に配置されている。コネクタ嵌合室３６は後方の端子収容部３８に続いている。
【００３０】
以下に図４〜図１１を用いて上記ロック式コネクタの作用を説明する。
図４は、雄・雌両コネクタ（１，４）の初期嵌合状態すなわちコネクタ嵌合室３６内にハウジング本体部２３が少し進入した状態を示す。両コネクタ内の各端子（図示せず）は未だ接触していない。
【００３１】
スライダ３はコイルばね（図示せず）で前向きに付勢され、スライダ収容部１８の後端との間にスライド用の空間（符号１８で代用する）を存して位置し、停止突起３２の前端が雄側のコネクタハウジング１のスライダ解除突起９の後端に当接し、スライダ収容部１８の前端側にスライダ３の前端壁２５が位置し、前端壁２５のほぼ下側に雌側のコネクタハウジング４の左右一対の押圧突起５，５′が位置し、押圧突起５，５′の後方にロック突起６が位置し、雄側のコネクタハウジング１のロックアーム２０の左右一対のロック解除突起１３の上側にスライダ３のロック補助壁１４が位置し、ロック解除突起１３の前方にスライダ３のガイド傾斜部１２が位置し、ロック解除突起１３及びロック突起１０の後方にスライダ３の左右一対の当接アーム７，８の各当接突起７ａ，８ａが位置している。
【００３２】
図５の如く、両コネクタ（１，４）をコネクタ嵌合方向に押すことで、雌側のコネクタハウジング４の一方の押圧突起５がスライダ３の一方の当接アーム７の先端の当接突起７ａの前端面に当接し（図５のＣ部で示す部分）、且つ両コネクタハウジング１，４内の端子は接触を開始する。
【００３３】
これにより、図６の如くスライダ３がばね力に抗して矢印Ｄの如く後方に押されてスライダ収容部１８内をスライドして後退する。スライダ３が後退しつつ、スライダ３の前側の左右一対のガイド傾斜部１２が雄側のコネクタハウジング１のロックアーム２０の左右一対のロック解除突起１３をすくい上げる。
【００３４】
これにより、図７の如くロック解除突起１３がガイド傾斜部１２に続く水平な支持部２４上に位置しつつ、ロックアーム２０が上向きに撓み、ロックアーム２０の下向きのロック突起１０が雌側のコネクタハウジング４のロック突起６に当接することなくロック突起６上を通過する。それと同時に、スライダ３の後退に伴ってスライダ３の一方の当接アーム７の下向きの当接突起７ａが一方のスライダ解除突起９に乗り上げ始める。
【００３５】
図５〜図７の状態で両コネクタ（１，４）は未だ不完全嵌合であり、この状態で作業者がコネクタ嵌合を止めれば、従来同様にコイルばね２（図１）の復元力でスライダ３の当接アーム７，８の当接突起７ａ，８ａが雌側のコネクタハウジング４の押圧突起５，５′をコネクタ離脱方向に押して、雄コネクタ（１）から雌コネクタ（４）が離脱され、それによりコネクタ不完全嵌合が検知される。
【００３６】
図８の如く、さらにコネクタ嵌合を進めることで、スライダ３の両当接アーム７，８の当接突起７ａ，８ａが雄側のコネクタハウジング１の一対のスライダ解除突起９に完全に乗り上げ、両当接突起７ａ，８ａと雌側のコネクタハウジング４の一対の押圧突起５，５′との当接が解除される。この際、雄側のコネクタハウジング１のロックアーム２０の下向きのロック突起１０は雌側のコネクタハウジング４の上向きのロック突起６の後方上部に近接して位置している。
【００３７】
そして、図９の如く、スライダ３がコイルばね２（図１）の復元力でスライダ収容部１８に沿って瞬間的に矢印Ｅの如く前方にスライド移動し、雄側のコネクタハウジング１のロックアーム２０のロック解除突起１３がスライダ３のほぼ水平な支持部２４からガイド傾斜部１２を経て滑り落ちつつ、ロックアーム２０が下向きに復元する。これにより、両コネクタハウジング１，４の各ロック突起６，１０が相互に係合し、両コネクタ（１，４）が完全嵌合状態で確実にロックされる。
【００３８】
一対の当接アーム７，８は図８の状態から一対の押圧突起５，５′の上を通過して前進し、図９の如く下向きに復元し、両当接突起７ａ，８ａはロック突起６と押圧突起５，５′との間に位置する。スライダ３の下向きの停止突起３２は雄コネクタハウジング１の上向きのスライダ解除突起９に当接する。スライダ３の水平なロック補助壁１４はロックアーム２０の先端上部（図３の例では摺接部２１）に当接して位置し、ロックアーム２０の上方への撓みを阻止してロックを確実に且つ強固に行わせる。
【００３９】
図９のコネクタ嵌合状態から雄・雌両コネクタ（１，４）を離脱させるのは以下の方法による。図１０〜図１１に示すコネクタの離脱手段が本発明の要部である。
【００４０】
すなわち図１０の如く、スライダ３をコイルばね２（図１）の付勢に抗して後側の操作用の突起３０を手指で矢印Ｆの如く引くことで後退させる。この際、図７と同様にスライダ３のガイド傾斜部１２が雄側のコネクタハウジング１のロックアーム２０のロック解除突起１３をすくい上げてロックアーム２０を上向きに撓ませることで、雌側のコネクタハウジング４の上向きのロック突起６からロックアーム２０の下向きのロック突起１０が離脱し、且つ当接アーム８の当接突起８ａが押圧突起５´を乗り越え、スライダ３の一方の当接アーム７の下向きの当接突起７ａが雌側のコネクタハウジング４の押圧突起５の後側の傾斜面５ｂ（図４）に沿って乗り上げて、一方の当接アーム７が上向きに撓み、他方の当接アーム８の下向きの当接突起８ａが他方の押圧突起５′の前端の垂直な当接面５ａ′に当接する。なお、発明の実施の形態においては、雌側のコネクタハウジング４の前後の方向を雄側のコネクタハウジング１の前後の方向とは逆に説明している。
【００４１】
これにより、コイルばね２（図１）の復元力で当接突起８が押圧突起５′をコネクタ離脱方向に押圧し、雌側のコネクタ（４）がコイルばね２の復元力で雄側のコネクタ（１）から離脱方向に押圧される。このように、コイルばね２の復元力でコネクタ離脱力が補助されて、作業者が図１１の如く雄・雌両コネクタ（１，４）を小さな力で容易に離脱させることができる。
【００４２】
図６のコネクタ嵌合時には一方の押圧突起５が一方の当接アーム７の当接突起７ａに当接し、図１０のコネクタ離脱時には他方の押圧突起５′が他方の当接アーム８の当接突起８ａに当接する。このように、一対の当接アーム７，８の各当接突起７ａ，８ａの位置を前後に位相ずれさせ、それに応じて雄側のコネクタハウジング１の一対のスライダ解除突起９の位置を前後に位相ずれさせたことで、各当接アーム７，８が単独で撓み動作可能となっている。
【００４３】
図１０で、両コネクタハウジング１，４のロック突起６，１０の係合が解除され、他方の当接アーム８の当接突起８ａが雌側のコネクタハウジング４の押圧突起５′に当接した時点で、スライダ３をそれ以上後退させる必要がなくなり、スライダ３の後退ストロークが低減される。これによってもコネクタ離脱操作が簡単化する。
【００４４】
なお、雌側のコネクタハウジング４の一対の押圧突起５，５′を前後に位相ずれさせ、一対の当接突起７，８及び一対のスライダ解除突起９をそれぞれ位相ずれなく左右に並列に配置した場合でも、上記同様の作用を得ることができる。
【００４５】
図１１のコネクタ離脱途中の状態で、雌側のコネクタハウジング４のロック突起６は雄側のコネクタハウジング１のロック突起１０の前方に離間し、スライダ３はコイルばね２（図１）の付勢のもとで完全に前方に復元し、両コネクタ（１，４）の各端子の接触ストロークは例えば全ストロークの半分程度まで減少している。この状態から作業者は小さな力で簡単に両コネクタ（１，４）を離脱させることができる。
【００４６】
なお、本出願人は特願２０００−１４６０２２でスペーサ（３）に一つの当接アーム（７）を設けた構成（当接アーム以外の構成は概ね同じである）を提案しているが、その構成に較べても、本発明に係る構成には、ロック解除と同時にスペーサ３の後退動作が不要となると共に、コネクタ離脱時にスペーサ３がコイルばね２の反撥力で雌側のコネクタ（４）を離脱方向に押圧することで、コネクタ離脱操作が容易化するという作用効果を奏するものである。
【００４７】
【発明の効果】
以上の如く、請求項１記載の発明によれば、コネクタ嵌合途中においてスライダの一方の当接アームが弾性部材の復元力でもって他方のコネクタハウジングの一方の押圧突起に当接し、コネクタ半嵌合時に他方のコネクタハウジングを一方のコネクタハウジングから離脱方向に押し出すことで、コネクタ半嵌合が良好に検知される。また、コネクタを離脱させる際に、スライダの後退途中で他方の当接アームが弾性部材の復元力でもって他方のコネクタハウジングの他方の押圧突起に当接し、他方のコネクタハウジングを離脱方向に付勢することで、コネクタ離脱操作力が低減され、作業者が小さな力で両コネクタを容易に且つ確実に離脱させることができる。従って、例えば車両の狭い場所でのコネクタ離脱操作をスムーズ且つ容易に且つ確実に行うことができる。また、スライダの後退途中で他方の当接アームが他方のコネクタハウジングの他方の押圧突起に当接することで、スライダの後退ストロークが少なくて済み、それによってもコネクタ離脱操作がスムーズ化・容易化される。また、従来のようにスライダを後退させた状態で手で保持しておく必要がないから、それによってもコネクタの離脱作業が容易化し、離脱作業性が向上する。
【００４８】
また、コネクタの離脱に際し、スライダを後退させることで、一方の当接アームの当接突起が一方のコネクタハウジングのスライダ解除突起に乗り上げると同時に、他方の当接アームの当接突起が他方のコネクタハウジングの他方の押圧突起に当接し、弾性部材の復元力で他方のコネクタハウジングが離脱方向に強く付勢されるから、上記コネクタの離脱操作が一層確実に且つ容易に行われる。
【００５０】
また、特にコネクタ離脱時にスライダを後退させることで、スライダのガイド傾斜部で一方のコネクタハウジングのロック解除突起がすくい上げられ、ロックアームが上向きに撓んでロックが解除されると同時に、スライダの他方の当接アームが他方のコネクタハウジングの他方の押圧突起を弾性部材の復元力でもってコネクタ離脱方向に押圧するから、コネクタの離脱力が低減され、コネクタの離脱が低力で容易に行われる。
【図面の簡単な説明】
【図１】本発明に係るロック式コネクタの一実施形態を示す分解斜視図である。
【図２】同じくロック式コネクタの雄側のコネクタハウジングにスライダを装着した状態を示す斜視図である。
【図３】雄側のコネクタハウジングとスライダの他の実施形態を示す一部を切欠した状態の分解斜視図である。
【図４】ロック式コネクタの初期嵌合状態を示す縦断面図である。
【図５】ロック式コネクタの中途嵌合状態を示す縦断面図である。
【図６】ロック式コネクタの中途嵌合時にスライダが後退する状態を示す縦断面図である。
【図７】ロック式コネクタのロックアームが上向きに撓んだ状態を示す縦断面図である。
【図８】ロック式コネクタのスライダの当接アームが上向きに撓んだ状態を示す縦断面図である。
【図９】コネクタ嵌合と同時にスライダが前方に復元した状態を示す縦断面図である。
【図１０】コネクタ離脱操作としてスライダを後退させた状態を示す縦断面図である。
【図１１】スライダの当接アームがコネクタを離脱方向に付勢する状態を示す縦断面図である。
【図１２】従来のロック式コネクタの一形態を示す嵌合前の状態の縦断面図である。
【図１３】同じく従来のロック式コネクタの嵌合時の状態を示す縦断面図である。
【符号の説明】
１，１′    雄側のコネクタハウジング
２          コイルばね（弾性部材）
３，３′    スライダ
４          雌側のコネクタハウジング
５，５′    押圧突起（押圧部）
６          ロック突起（ロック部）
７，８      当接アーム
７ａ，８ａ  当接突起（当接部）
９          スライダ解除突起（スライダ解除部）
１２        ガイド傾斜部
１３        ロック解除突起（ロック解除部）
１４        ロック補助壁（ロック補助部）
２０        ロックアーム
【図１】
0004025513.tif 000002
【図２】
0004025513.tif 000003
【図３】
0004025513.tif 000004
【図４】
0004025513.tif 000005
【図５】
0004025513.tif 000006
【図６】
0004025513.tif 000007
【図７】
0004025513.tif 000008
【図８】
0004025513.tif 000009
【図９】
0004025513.tif 000010
【図１０】
0004025513.tif 000011
【図１１】
0004025513.tif 000012
【図１２】
0004025513.tif 000013
【図１３】
0004025513.tif 000014